(57)【要約】【課題】本来の鍋敷としての用途とは別の異なる用途に使用可能な鍋敷を提供する。【解決手段】鍋敷１００は、シリコンゴムからなり、表面及び裏面にはそれぞれ滑り止め用リブ１１１が形成されている鍋敷本体１１０と、鍋敷本体１１０に対して固定的に取り付けられたプルタブオープナー１２０と、プルタブオープナー１２０の裏面側においてプルタブオープナー１２０に対して固定的に取り付けられた永久磁石１３０と、からなる。【選択図】図１
0003136410.tif 000002
【実用新案登録請求の範囲】
【請求項１】
シリコンゴムからなり、表面及び裏面にはそれぞれ滑り止め用リブが形成されている鍋敷本体と、
前記鍋敷本体に対して固定的に取り付けられたプルタブオープナーと、
前記プルタブオープナーの裏面側において前記プルタブオープナーに対して固定的に取り付けられた永久磁石と、
からなる鍋敷。
【請求項２】
前記鍋敷本体には、前記永久磁石の下方において、前記滑り止め用リブよりも高さが大きい突起が形成されていることを特徴とする請求項１に記載の鍋敷。
【考案の詳細な説明】
【技術分野】
【０００１】
本考案は鍋敷に関する。
【背景技術】
【０００２】
鍋敷は、例えば、加熱された鍋をテーブルの上に置く際に、予めテーブルの上に鍋敷を置き、その鍋敷の上に鍋を置くような場合に用いられる。
【０００３】
このように、鍋敷の上には加熱された鍋その他の高温の物が置かれるため、鍋敷は耐熱性のある素材でつくられる。例えば、木材、藁などの植物、セラミクス、などが鍋敷の素材として用いられる。
【０００４】
このような素材でつくられた鍋敷は一般に剛性を有しており、ほとんど変形しないようになっている。
【０００５】
このため、従来の鍋敷は鍋敷としての用途しか有しないものであった。
【考案の開示】
【考案が解決しようとする課題】
【０００６】
近年では、家庭で使われる調理用具に対しても多用途性が要求されるようになっている。すなわち、一つの調理用具が少なくとも二つの用途を有していることが要求されるようになっている。
【０００７】
このため、鍋敷に対しても、従来の鍋敷としての用途とは異なる用途が要求されているが、そのように多用途に使用することができる鍋敷はこれまでに提案されていなかった。
【０００８】
本考案は以上のような問題点に鑑みてなされたものであり、本来の鍋敷としての用途とは別の異なる用途に使用可能な鍋敷を提供することを目的とする。
【課題を解決するための手段】
【０００９】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１０】
上記の目的を達成するため、本考案は、シリコンゴムからなり、表面及び裏面にはそれぞれ滑り止め用リブ（１１１）が形成されている鍋敷本体（１１０）と、前記鍋敷本体（１１０）に対して固定的に取り付けられたプルタブオープナー（１２０）と、前記プルタブオープナー（１２０）の裏面側において前記プルタブオープナー（１２０）に対して固定的に取り付けられた永久磁石（１３０）と、からなる鍋敷（１００）を提供する。
【００１１】
本考案に係る鍋敷（２００）においては、前記鍋敷本体（１１０）には、前記永久磁石（１３０）の下方において、前記滑り止め用リブ（１１１Ａ）よりも高さが大きい突起（２１０）が形成されていることが好ましい。
【考案を実施するための最良の形態】
【００１２】
（第一の実施形態）
図１は本考案の第一の実施形態に係る鍋敷１００の平面図、図２は図１のＡ−Ａ線における断面図、図３は本考案の第一の実施形態に係る鍋敷１００の背面図である。
【００１３】
本実施形態に係る鍋敷１００は、鍋敷本体１１０と、鍋敷本体１１０に対して固定的に取り付けられたプルタブオープナー１２０と、プルタブオープナー１２０の裏面側において鍋敷本体１１０及びプルタブオープナー１２０に対して固定的に取り付けられた永久磁石１３０（図２及び図３参照）と、から構成されている。
【００１４】
鍋敷本体１１０はシリコンゴムからなる。
【００１５】
鍋敷本体１１０は全体としてハート型形状をなしている。鍋敷本体１１０の表面（図１参照）及び裏面（図３参照）には、鍋敷本体１１０の外縁に沿って、さらには、鍋敷本体１１０の外縁と相似形状になるように鍋敷本体１１０の内部に、計４本のリブ１１１が形成されている。
【００１６】
各リブ１１１は縦断面がほぼ半球形状の凸状体として形成されており、例えば、鍋敷本体１１０をテーブルの上に置いたときに、テーブルの表面に対する鍋敷１００の滑り止めとして機能する。さらには、鍋敷本体１１０の上に、例えば、鍋（図示せず）を置いたときに、鍋敷本体１１０に対する鍋の滑り止めとしても機能する。
【００１７】
なお、説明の便宜上、図１に示した鍋敷本体１１０の面を表側（表面）、図３に示した鍋敷本体１１０の面を裏側（裏面）として区別したが、鍋敷１００の実際の使用時においては、鍋敷本体１１０の表面及び裏面の区別はない。
【００１８】
鍋敷本体１１０には左右対称の中心線（図１のＡ−Ａ線）に沿って上方に突出部１１２が形成されている。プルタブオープナー１２０は鍋敷本体１１０の突出部１１２に対して固定的に取り付けられている。
【００１９】
図１及び図３に示すように、プルタブオープナー１２０はほぼ矩形状をなしており、さらに、図２に示すように、内部には空洞１２１が形成されている。空洞１２１は全体として立方体形状をなしており、プルタブオープナー１２０の上端（図２の上方にある端部）において開口している。
【００２０】
プルタブオープナー１２０は樹脂製（例えば、ＡＢＳ樹脂製）である。
【００２１】
プルタブオープナー１２０の裏面側には、突出部１１２を収納可能な形状をなす凹部１２２が形成されており、鍋敷本体１１０とプルタブオープナー１２０とは、後述するように、鍋敷本体１１０の突出部１１２がプルタブオープナー１２０の凹部１２２に収納された状態において、相互に結合される。
【００２２】
図２及び図３に示すように、永久磁石１３０はケース１３１に収納された状態において、プルタブオープナー１２０の裏面側に配置されている。
【００２３】
図２に示すように、永久磁石１３０、鍋敷本体１１０の突出部１１２及びプルタブオープナー１２０には１個の共通の貫通孔が形成されており、この貫通孔にピン１４０を通すことにより、プルタブオープナー１２０と鍋敷本体１１０の突出部１１２と永久磁石１３０とが相互に固定的に結合されている。
【００２４】
なお、図３に示すように、永久磁石１３０を覆うケース１３１の形状も、鍋敷本体１１０に合わせて、ハート型形状になっている。
【００２５】
永久磁石１３０としては、例えば、ネオジウム磁石を用いることができる。
【００２６】
以上のような構造を有する本実施形態に係る鍋敷１００の機能を以下に説明する。
【００２７】
先ず、本実施形態に係る鍋敷１００は従来の鍋敷と同様に鍋敷として使用することが可能である。
【００２８】
本実施形態に係る鍋敷１００を鍋敷として使用する場合、鍋敷本体１１０にはリブ１１１が形成されているため、鍋敷本体１１０をテーブルの上に置いたときに、鍋敷１００はテーブルの表面に対しての滑り止めの機能を有し、さらには、鍋敷本体１１０の上に、例えば、鍋を置いたときに、鍋は鍋敷本体１１０に対して、同様に、滑り止めの機能を有する。
【００２９】
また、鍋敷本体１１０に形成されているリブ１１１により、例えば、鍋敷１００をテーブルの上に置いたときに、鍋敷本体１１０はテーブルに対して滑り止めの機能を有することになるため、例えば、鍋敷本体１１０の上にホッパーを置いて、そのホッパーの中で動きを伴う作業（例えば、ホッパーの中で卵をとく作業、ホッパーの中で食材をこねる作業）を行う場合、鍋敷本体１１０の表面及び裏面に形成されたリブ１１１を介してホッパーはテーブルに対して滑り止めの機能を有することになるため、ホッパーが鍋敷本体１１０の上で動くことがなく、作業を円滑に行うことが可能である。
【００３０】
また、鍋敷本体１１０はシリコンゴム製であるため、耐熱性（シリコンゴムの耐熱温度は摂氏約２００度）及び柔軟性を有するとともに、鍋敷本体１１０の表面は大きな摩擦力を発生させる。このため、シリコンゴム製の鍋敷本体１１０の柔軟性を利用して、加熱された鍋の把手に鍋敷本体１１０を巻くようにして使うことにより、すなわち、鍋敷本体１１０を鍋つかみとして使用することにより、把手が熱くなっていても、シリコンゴム製の鍋敷本体１１０が把手からの熱の伝導を遮断するため、ユーザーには把手の熱は伝わらず、熱い鍋であっても、ユーザーは楽に持つことができる。この場合、シリコンゴム製の鍋敷本体１１０の表面は大きな摩擦力を発生させるため、手を滑らして鍋を落とすようなことはない。
【００３１】
また、同様の理由により、本実施形態に係る鍋敷１００をビンオープナーとして使用することも可能である。固く閉まっているビンの蓋の周囲に鍋敷本体１１０を巻いて、鍋敷本体１１０を介して蓋を回すことにより、素手で蓋を回す場合と比較して、容易に蓋を回すことが可能である。
【００３２】
また、本実施形態に係る鍋敷１００にはプルタブオープナー１２０が一体的に取り付けられている。缶詰や飲料水缶（例えば、ジュースやビールの缶など）に設けられているプルタブをプルタブオープナー１２０の空洞１２１の内部に入れた状態で、プルタブオープナー１２０を上向きに引き上げることにより、素手でプルタブを持って引き上げる場合と比較して、より容易にプルタブを開けることができる。特に、素手でプルタブを引き上げる場合、爪や指などを傷めることがあるが、プルタブオープナー１２０を使用することにより、爪や指を傷めることなく、プルタブを開けることができる。
【００３３】
また、本実施形態に係る鍋敷１００にはプルタブオープナー１２０の裏面側に永久磁石１３０が取り付けられているため、永久磁石１３０を介して、鍋敷１００を見つけやすい箇所、例えば、冷蔵庫の側面などに鍋敷１００をぶら下げておくことが可能である。
【００３４】
本実施形態に係る鍋敷１００は上記の構造に限定されるものではなく、種々の改変が可能である。
【００３５】
例えば、本実施形態に係る鍋敷１００においては、永久磁石１３０は鍋敷本体１１０及びプルタブオープナー１２０に対して固定的に取り付けられているが、鍋敷本体１１０及びプルタブオープナー１２０の双方に対して固定的に取り付けることは必ずしも必要ではない。鍋敷本体１１０はプルタブオープナー１２０に対して固定的に取り付けられているため、永久磁石１３０は少なくともプルタブオープナー１２０に対して固定的に取り付けられていればよい。
【００３６】
また、本実施形態に係る鍋敷１００においては、鍋敷本体１１０の表面及び裏面にはそれぞれ４本のリブ１１１が形成されているが、リブ１１１の数は４には限定されない。１または２以上のリブ１１１を形成することが可能である。さらには、鍋敷本体１１０の表面及び裏面に形成されるリブ１１１の数は同数であることは必ずしも必要ではなく、異なる数のリブ１１１を形成することも可能である。
【００３７】
さらに、リブの形状は本実施形態におけるリブ１１１の形状には限定されない。鍋敷本体１１０の滑り止めとして機能し得る形状であれば、リブ１１１は任意の形状を取ることができる。
【００３８】
鍋敷本体１１０の外形はハート型形状には限定されない。鍋敷としての機能を発揮し得る限りにおいて、鍋敷本体１１０は任意の外形形状を取ることが可能である。
【００３９】
同様に、リブ１１１の形状も図１及び図３に示したリブ１１１の形状には限定されない。滑り止めとしての機能を奏し得る限りにおいて、リブ１１１は任意の形状を取ることが可能である。
【００４０】
また、プルタブオープナー１２０の形状並びに空洞１２１の形状も本実施形態における形状には限定されない。プルタブを中に入れて引き上げることができる形状である限りにおいて、プルタブオープナー１２０及び空洞１２１は任意の形状を取ることができる。
【００４１】
（第二の実施形態）
図４は、本考案の第二の実施形態に係る鍋敷２００の部分的な背面図である。
【００４２】
本実施形態に係る鍋敷２００は、以下に述べる突起２１０を有する点においてのみ、第一の実施形態に係る鍋敷１００と相違し、他の点に関しては、第一の実施形態に係る鍋敷１００と同一の構造を有している。
【００４３】
本実施形態に係る鍋敷２００においては、図４に示すように、永久磁石１３０（あるいは、ケース１３１）の下方において、突起２１０が形成されている。
【００４４】
具体的には、突起２１０（図４の斜線部分）は、鍋敷本体１１０の外縁に沿って形成されているリブ１１１Ａの一部において、上方に延びるように、形成されており、このため、リブ１１１よりも高さが大きくなっている。
【００４５】
前述のように、鍋敷２００は、永久磁石１３０を介して、例えば、冷蔵庫の側面に係着させることが可能であるが、永久磁石１３０の磁力だけでは、鍋敷２００が冷蔵庫の側面上をずり落ちてしまう可能性がある。このため、永久磁石１３０の下方の位置に突起２１０を形成することにより、鍋敷２００のずり落ちを防止することが可能であるようになっている。
【００４６】
なお、本実施形態に係る鍋敷２００においては、突起２１０はリブ１１１Ａ上にリブ１１１Ａと一体的に形成されているが、突起２１０をリブ１１１Ａと一体的に形成することは必ずしも必要ではない。各リブ１１１、１１１Ａよりも高さが大きいものである限りにおいて、突起２１０は各リブ１１１、１１１Ａとは別体のものとして形成することも可能である。例えば、リブ１１１Ａよりも高い突起２１０をリブ１１１Ａに隣接してリブ１１１Ａの下方に形成することが可能である。
【図面の簡単な説明】
【００４７】
【図１】本考案の第一の実施形態に係る鍋敷の平面図である。
【図２】図１のＡ−Ａ線における断面図である。
【図３】本考案の第一の実施形態に係る鍋敷の背面図である。
【図４】本考案の第二の実施形態に係る鍋敷の部分的な背面図である。
【符号の説明】
【００４８】
１００  本考案の第一の実施形態に係る鍋敷
１１０  鍋敷本体
１１１、１１１Ａ  リブ
１１２  突出部
１２０  プルタブオープナー
１２１  空洞
１２２  凹部
１３０  永久磁石
１３１  ケース
１４０  ピン
２００  本考案の第二の実施形態に係る鍋敷
２１０  突起
【図１】
0003136410.tif 000003
【図２】
0003136410.tif 000004
【図３】
0003136410.tif 000005
【図４】
0003136410.tif 000006